(57)【要約】      （修正有）【課題】手を直接触れずに履物を保持して履き替えることができる履物保持具を提供する。【解決手段】先端に一対の引っ掛け部１１を有し、これら両引っ掛け部から基端側に向かって腕部１２が延長して基端側で合体して更に延長し、把持部１５を形成し、把持部を手で把持してスリッパ等の履物の一対の前方覆い部の内部に引っ掛け部を挿入して履物を保持する。引っ掛け部の先端部は略球状に形成されている。また、一対の腕部１２の根本側にそれぞれ押圧部１３を設け、押圧部を手の指によって外側から内側方向に押圧して先端の引っ掛け部１１の間隔を小さくすることができる。【選択図】図１
0003214190.tif 000002
【実用新案登録請求の範囲】
【請求項１】
先端に一対の引っ掛け部(11, 11)を有し、これら両引っ掛け部(11, 11)から基端側に向かって腕部(12, 12)が延長して基端側で合体して更に延長し、この延長部は手によって把持することができる把持部(15)を成し、この把持部(15)を手で把持してスリッパ等の履物の一対の前部覆い部の内部に前記引っ掛け部(11, 11)を挿入して履物を保持することができる履物保持具。
【請求項２】
前記引っ掛け部(11, 11)の先端部が略球状に形成されていることを特徴とする請求項１に記載の履物保持具。
【請求項３】
前記一対の腕部(12, 12)の根本側にそれぞれ押圧部(13, 13)を設け、これらの押圧部(13,13)を手の指によって外側から内側方向に押圧して先端の引っ掛け部(11, 11)の間隔を小さくすることができることを特徴とする請求項１又は２に記載の履物保持具。
【請求項４】
前記一対の腕部(12, 12)が下に向かって凸状に湾曲し、前記２つの押圧部(13, 13)の底面部と前記腕部(12, 12)の湾曲部の底面部により当該履物保持具が自立できることを特徴とする請求項１乃至３の何れか１項に記載の履物保持具。
【請求項５】
前記腕部(12, 12)の底面部と前記押圧部(13, 13)の底面部に永久磁石を設けたことを特徴とする請求項４に記載の履物保持具。
【請求項６】
前記把持部(!5)の基端部に、当該履物保持具を他のものに吊り下げることができる吊り下げ部を設けたことを特徴とする請求項１乃至５の何れか１項に記載の履物保持具。
【考案の詳細な説明】
【技術分野】
【０００１】
本考案は、スリッパ等の履物を保持するための道具であって、直接履物に手を触れずに履物を保持できるものに関する。
【背景技術】
【０００２】
従来、この種の履物保持具は市場に提案されていなかった。
従って、各種の公共施設等にあっては、そこに備えられているスリッパを利用する際には、直接素手でこれらスリッパを手に取り、履いていたのが現状である。
【考案の概要】
【考案が解決しようとする課題】
【０００３】
一般的に、他者と共有使用するスリッパ等を素手で触らなくては着脱できないことに対する精神的苦痛があった。
病気の際に訪れる診療所や病院、特別養護老人ホーム、介護施設やデイケアサービス施設、保育園・幼稚園・就学施設、日帰り温泉や旅館・民宿などの宿泊施設、飲食店施設、一般的に開放された公共センターや公民館、そしてこれらに設置されている公共トイレ等々、あらゆる場所で靴を脱ぎ、備え付けのスリッパに履き替えることが頻繁に行われている。
【０００４】
これらの機会において、スリッパを直接手に取り、履くことを強いられる。
しかし、その際誰もが内心『誰が履いていたかわからないスリッパに触ることへの抵抗感』を持っている。できることなら手を触れずにスリッパを履きたいという想いがそこにある。
【０００５】
本考案では、このような精神的苦痛を少しでも軽減することを目指し、スリッパ等の履物を直接素手で触れずに、履物等を保持し、履き替えることができる道具を提案することがその課題となる。
また、その使用の際に、より適切に保持できること、保管の便宜や使用の便宜に利する手段を付加することも本考案の課題となる。
【課題を解決するための手段】
【０００６】
上記課題を解決するために、本考案の第１のものは、先端に一対の引っ掛け部を有し、これら両引っ掛け部から基端側に向かって腕部が延長して基端側で合体して更に延長し、この延長部は手によって把持することができる把持部を成し、この把持部を手で把持してスリッパ等の履物の一対の前部覆い部の内部に前記引っ掛け部を挿入して履物を保持することができる履物保持具である。
【０００７】
本考案の第２のものは、上記第１の考案において、前記引っ掛け部の先端部が略球状に形成されていることを特徴とする履物保持具である。
【０００８】
本考案の第３のものは、上記第１又は第２の考案において、前記一対の腕部の根本側にそれぞれ押圧部を設け、これらの押圧部を手の指によって外側から内側方向に押圧して先端の引っ掛け部の間隔を小さくすることができることを特徴とする履物保持具である。
【０００９】
本考案の第４のものは、上記第１乃至第３の考案において、前記一対の腕部が下に向かって凸状に湾曲し、前記２つの押圧部の底面部と前記腕部の湾曲部の底面部により当該履物保持具が自立できることを特徴とする履物保持具である。
【００１０】
本考案の第５のものは、上記第４の考案において、前記腕部の底面部と前記押圧部の底面部に永久磁石を設けたことを特徴とする履物保持具である。
【００１１】
本考案の第６のものは、上記何れかの考案において、前記把持部の基端部に、当該履物保持具を他のものに吊り下げることができる吊り下げ部を設けたことを特徴とする履物保持具である。
【考案の効果】
【００１２】
本考案の第１のものにあっては、先端の一対の引っ掛け部を一対の履物の前部覆い部の内部に挿入して履物を保持することができ、履物を直接手で触れることがないため、衛生的であり、使用者の精神的負担も軽減される。
先端の一対の引っ掛け部から基端側に腕部が延長し、これら一対の腕部が基端側で合体して更に延長してその延長部が把持部を成す構成のため、この把持部を手で把持して合体部を支点として両腕部を内側方向に押圧して先端の引っ掛け部の間隔を小さくすることができ、いわばトングのような形態と機能を有しているために、前記履物の前部覆い部を挟持することもできる。
【００１３】
本考案の第２のものは、前記引っ掛け部の先端形状を限定したものであり、その先端部を略球状に形成した。
これにより、スリッパ等の履物の前部覆い部の内部に適切に簡単に引っ掛け部の先端部を挿入することができる。
【００１４】
本考案の第３のものにあっては、前記一対の腕部の根本側にそれぞれ押圧部を設けたことにより、これら押圧部を手の指、例えば親指と人差し指によって外側から内側方向に押圧し易く形成したものである。
【００１５】
本考案の第４のものは、前記一対の腕部が下に向かって凸状に湾曲し、前記２つの押圧部の底面部と前記腕部の湾曲部の底面部により当該履物保持具が他の平面的な物品の上に自立できるようにしたものである。
即ち、この保持具の不使用時には、他の何かの物品の上に自立させて、載置させることができることとなる。
【００１６】
本考案の第５のものは、前記腕部の底面部と前記押圧部の底面部に永久磁石を設けたことを特徴とし、不使用時、スリッパ等が保管された場所の近傍にある磁性体からなる物体に磁着させておくことが可能となる。
例えば、鉄分を含む各種の金属製の家具の側面部等に磁着させておくことができる。
【００１７】
本考案の第６のものは、前記把持部の基端部に、当該履物保持具を他のものに吊り下げることができる吊り下げ部を設けたことを特徴とするものであり、不使用時に他の物品に吊り下げて保管することを容易にしたものである。
【図面の簡単な説明】
【００１８】
【図１】本考案の履物保持具に係る一実施形態を示し、その（Ａ）が斜視説明図、その（Ｂ）が側面説明図、その（Ｃ）が正面説明図である。
【考案を実施するための形態】
【００１９】
以下、添付の図面と共に本考案の一実施形態について説明する。
図１は、本考案の履物保持具に係る一実施形態を示し、その（Ａ）が斜視説明図、その（Ｂ）が側面説明図、その（Ｃ）が正面説明図である。
【００２０】
本考案に係る履物保持具１０は、先端部に設けた一対の引っ掛け部１１、１１と、これらの引っ掛け部１１、１１からそれぞれ基端側に延長する腕部１２、１２と、これらの腕部１２、１２の根元部に設けられた押圧部１３、１３と、これら腕部１２、１２が合体する合体部１４と、この合体部１４から更に基端側に延長する把持部１５とから成る。
【００２１】
把持部１５は、この履物保持具１０を使用する使用者がその手で把持する部分である。
先端の引っ掛け部１１は、略球体形状を有し、図示はしていないスリッパ等の履物の前方覆い部内に容易に挿入される。
これらの引っ掛け部１１同士の間の間隔は、２０ｍｍ乃至３０ｍｍ程度であるが、必要に応じて適宜その寸法を設定することができる。
【００２２】
上記引っ掛け部１１のそれぞれから基端側に向かって延長する腕部１２は、下方に凸状に湾曲しており、その根元部に押圧部１３が設けられている。
この押圧部１３は、手の指、例えば親指と人差し指をその外側に配置させて、両指を内側方向に押圧することがし易いように側面視略楕円形状に大きく形成されている。
【００２３】
使用者は上記把持部１５を右手或いは左手で握り、その親指と人差し指を上記押圧部１３、１３に配置して内側方向に力を加えることにより、上記合体部１４を支点として両先端側の引っ掛け部１１、１１が相互に近づくように移動する。
これにより、引っ掛け部１１、１１をスリッパ等の履物の前方覆い部の内部に挿入して、内側方向に挟み付けることができる。
【００２４】
当該履物保持具１０は、木材製でもよいし、合成樹脂製であってもよく、適度な柔軟性又は弾性を有しているものであればよく、これにより上記押圧部１３、１３同士を近づけるように押圧することによって、先端の引っ掛け部１１、１１が相互に近付くように動作する。
【００２５】
上記説明により、本考案に係る履物保持具１０の使用方法は自ずと了解できるが、再度使用方法について説明すると、以下の通りとなる。
まず、把持部１５を手で握る。
その際に手の親指と人差し指を押圧部１３、１３の位置に配置させておく。
【００２６】
把持部１５を手で把持した状態で、例えばスリッパの前方覆い部の内部に先端の引っ掛け部１１、１１を挿入する。
その後、押圧部１３、１３を相互に近づけるように指の力を加えて、スリッパの前方覆い部を挟持する。
そして、スリッパを保持した状態で、所望の位置に移動し、その位置の床面にスリッパを置き、履物保持具１０の押圧部１３、１３から力を除去して履物保持具１０の先端の引っ掛け部１１、１１をスリッパの前方覆い部内から取り出せばよいのである。
【００２７】
更に、上記実施形態においては、図１（Ｂ）に図示した通り、履物保持具１０は、床面Ｆ等の上に自立するように載置することができる。
即ち、この実施形態では、湾曲した腕部１２の底面部１２ｂ及び押圧部１３の底面部１３ｂが床面に同時に接地する形態を有しているために、この履物保持具１０は、この床面Ｆ上で自立することができる。
勿論、床面でなく、履物入れ等の家具の上面部に載置して自立させることもできる。
【００２８】
つまり、平面状の物品の上に本考案に係る履物保持具１０は自立させて載置しておくことができる。
更に、上記腕部１２の底面部１２ｂと上記押圧部１３の底面部１３ｂの４か所に永久磁石を埋め込んで置くこともできる。
【００２９】
このように永久磁石を埋め込むことにより、金属製の家具の側面等に磁着させておくことも可能となるのである。
同様に図示はしていないが、把持部１５の基端部に貫通孔を設け、これに吊り下げ紐を締着することにより、本考案に係る履物保持具１０を家具の側面や壁面に吊り下げておくことも可能となるのである。
上記基端部に設ける貫通孔は、何らかの鉤状の形態を有するフック状のものであってもよい。
【００３０】
以上、一実施形態について説明したが、本考案にあっては以下の通り種々設計変更が可能である。
本考案に係る履物保持具の大きさや形状は適宜設計変更することができる。
先端の略球状の引っ掛け部の大きさも自由に設定することができるし、この部分を球状ではなく、単なる棒状のもので、その先端を丸く形成したのみのものであってもよい。
【００３１】
腕部の長さも自由であり、下方に凸状に湾曲していなくとも実施可能である。
押圧部も特に設けずに実施することもできる。
勿論、最もシンプルに永久磁石も吊り下げ部も設けずに実施することも可能である。
要は、先端の引っ掛け部と基端の把持部があればよいものである。
【００３２】
以上、本考案は、把持部から延長する２本の腕部の先端に一対の引っ掛け部を設けることにより片方の手でスリッパ等の履物の前方被覆部内に前記引っ掛け部を挿入して簡単にスリッパ等の履物を保持でき、直接手で履物に触れることなく、履物を保持し、履き替えることができる極めて便利な履物保持具を提供することができた。
【符号の説明】
【００３３】
１０  履物保持具
１１  引っ掛け部
１２  腕部
１２ｂ、１３ｂ  底面部
１３  押圧部
１４  合体部
１５  把持部
【図１】
0003214190.tif 000003
【手続補正書】
【提出日】平成29年10月25日(2017.10.25)
【手続補正１】
【補正対象書類名】実用新案登録請求の範囲
【補正対象項目名】全文
【補正方法】変更
【補正の内容】
【実用新案登録請求の範囲】
【請求項１】
先端に一対の引っ掛け部(11, 11)を有し、これら両引っ掛け部(11, 11)から基端側に向かって腕部(12, 12)が延長して基端側で合体して更に延長し、この延長部は手によって把持することができる把持部(15)を成し、この把持部(15)を手で把持してスリッパ等の履物の一対の前部覆い部の内部に前記引っ掛け部(11, 11)を挿入して履物を保持することができる履物保持具。
【請求項２】
前記引っ掛け部(11, 11)の先端部が略球状に形成されていることを特徴とする請求項１に記載の履物保持具。
【請求項３】
前記一対の腕部(12, 12)の根本側にそれぞれ押圧部(13, 13)を設け、これらの押圧部(13,13)を手の指によって外側から内側方向に押圧して先端の引っ掛け部(11, 11)の間隔を小さくすることができることを特徴とする請求項１又は２に記載の履物保持具。
【請求項４】
前記一対の腕部(12, 12)が下に向かって凸状に湾曲し、前記２つの押圧部(13, 13)の底面部と前記腕部(12, 12)の湾曲部の底面部により当該履物保持具が自立できることを特徴とする請求項３に記載の履物保持具。
【請求項５】
前記腕部(12, 12)の底面部と前記押圧部(13, 13)の底面部に永久磁石を設けたことを特徴とする請求項４に記載の履物保持具。
【請求項６】
前記把持部(15)の基端部に、当該履物保持具を他のものに吊り下げることができる吊り下げ部を設けたことを特徴とする請求項１乃至５の何れか１項に記載の履物保持具。